(57)【要約】【課題】既存の携帯端末を用いて、簡便かつ低コストで、確実なモニターを可能とし、保冷室や保冷庫内の商品の品質保証を実現する温度検知システムを提供する。【解決手段】ユーザが携帯する携帯端末と、保冷車の保冷庫内あるいは保冷倉庫の保冷室内に載置される温度センサユニットとを備えた温度検知システムであって、携帯端末が、予めネットワークを通じてダウンロードしたアプリケーションと、情報を表示する表示部と、温度センサユニットとの間でデータあるいは信号の送受信を行なう携帯側無線通信部と、を備え、温度センサユニットが、温度センサ素子と、温度センサ素子が所定時間間隔で検出した温度データを記憶する記憶部と、携帯端末との間でデータあるいは信号の送受信を行なう温度センサユニット側無線通信部と、モニター表示を行なう表示素子と、制御部と、電源部と、を備える。【選択図】図１
2018054508.tif 000002
【特許請求の範囲】
【請求項１】
ユーザが携帯する携帯端末と、保冷車の保冷庫内あるいは保冷倉庫の保冷室内に載置される温度センサユニットとを備えた温度検知システムであって、
前記携帯端末が、
予めネットワークを通じてダウンロードしたアプリケーションと、
情報を表示する表示部と、
少なくとも、前記温度センサユニットとの間でデータあるいは信号の送受信を行なう携帯側無線通信部と、
を備え、
前記温度センサユニットが、
温度センサ素子と、
該温度センサ素子が所定時間間隔で検出した温度データを記憶する記憶部と、
前記携帯端末との間でデータあるいは信号の送受信を行なう温度センサユニット側無線通信部と、
モニター表示を行なう表示素子と、
制御部と、
前記温度センサ素子と前記記憶部と前記温度センサユニット側無線通信部と前記表示素子と前記制御部とに電力を供給する電源部と、
を備えたことを特徴とする温度検知システム。
【請求項２】
前記携帯側無線通信部と温度センサユニット側無線通信部とは近距離無線通信により温度データおよび信号の送受信を行なうことを特徴とする請求項１に記載の温度検知システム。
【請求項３】
前記制御部は、リセットスタート後、所定時間の経過により、スリープモードに移行し、前記表示素子への電力の供給を遮断することを特徴とする請求項１に記載の温度検知システム。
【請求項４】
前記制御部は、前記温度センサユニット側無線通信部が前記携帯端末からのリクエスト信号を所定時間以上受信していない場合には、ストレージモードに移行し、温度データの測定および記録のみを行うよう制御することを特徴とする請求項１から請求項３のいずれかに記載の温度検知システム。
【請求項５】
前記制御部は、前記ストレージモードにおいて、測定間隔内のピークホールド値を記憶部に記憶させることを特徴とする請求項４に記載の温度検知システム。
【請求項６】
前記電源部は、蓄電池で構成され、
前記温度センサユニットが、前記蓄電池の端子電圧を測定する端子電圧測定部を備え、
前記制御部は、前記端子電圧測定部により測定された前記蓄電池の端子電圧が所定の閾値を下回った場合あるいは前記温度センサ素子により測定された温度情報が、所定の温度を下回った場合に、前記温度センサユニット側無線通信部の作動を停止することを特徴とする請求項１から請求項５のいずれかに記載の温度検知システム。
【請求項７】
前記温度センサユニットが、さらに、
温度データの異常値を検出し、異常検出信号を前記制御部に送信する異常値検出部を備え、
前記制御部は、前記温度センサユニット側無線通信部を介して、前記携帯端末に異常情報を送信することを特徴とする請求項１に記載の温度検知システム。
【請求項８】
前記ネットワークを介して接続された監視装置をさらに備えるとともに、
前記携帯端末が、さらに、位置情報を取得する位置情報取得部を備え、
前記監視装置が、
前記携帯端末から前記保冷車の前記保冷庫あるいは前記保冷倉庫の前記保冷室と対応付けられた前記携帯端末のＩＤ情報と前記温度センサ素子が所定時間間隔で検出した温度データと前記位置情報取得部が取得した位置情報とを受信する受信部と、
該受信した前記ＩＤ情報と前記所定時間間隔で検出した温度データと前記位置情報とを紐つけて格納するデータベースと、
該データベースに格納された情報に基づいて表示情報を生成する表示情報生成部と、
該生成された表示情報を表示するモニター部と、
を備えたことを特徴とする請求項１に記載の温度検知システム。
【請求項９】
前記温度センサユニットが、さらに、
温度データの異常値を検出し、異常検出信号を前記制御部に送信する異常値検出部を備え、
前記制御部は、前記温度センサユニット側無線通信部および前記携帯側無線通信部を介して、前記監視装置の前記受信部に前記携帯端末のＩＤ情報と異常情報とを送信することを特徴とする請求項８に記載の温度検知システム。
【請求項１０】
前記監視装置が、さらに、
各保冷車の保冷庫あるいは各保冷倉庫の保冷室に収容された収容物の現在の収容量を記憶する収容量情報記憶部と、
前記受信部が受信した前記携帯端末のＩＤ情報と異常情報とに基づいて、温度異常状態にある保冷車の保冷庫あるいは保冷倉庫の保冷室を特定する特定部と、
前記受信部が受信した前記携帯端末のＩＤ情報に基づいて、前記データベースから温度データを読み出し、前記収容物の品質を担保できる温度までの到達時間を検出する検出部と、
該検出した到達時間と他の保冷車の保冷庫あるいは他の保冷倉庫の保冷室の位置情報と収容された前記収容物の現在の収容量とに基づいて、前記検出した到達時間内に前記温度異常状態にある保冷車の保冷庫あるいは保冷倉庫の保冷室の前記収容物を移動可能な前記他の保冷車の保冷庫あるいは他の保冷倉庫の保冷室に移動するよう前記特定部において特定された保冷車の保冷庫あるいは保冷倉庫の保冷室に紐づいた前記携帯端末に通知する通知部と、
を備えたことを特徴とする請求項９に記載の温度検知システム。
【発明の詳細な説明】
【技術分野】
【０００１】
本発明は、例えば、食品等のコールドチェーン等に適用される温度検知システムに関する。
【背景技術】
【０００２】
近年、生鮮食料品におけるコールドチェーンの整備が急速に進展し、産地での予冷→車両等による低温輸送→物流センター、量販店での温度管理→家庭における冷蔵庫保管のようなコールドチェーンが確立されてきた。
【０００３】
このようなコールドチェーンを含む食料品の流通経路において、食料品の温度管理を行うシステムとして、特許文献１（実用新案登録第２５０７６２３号公報）及び特許文献２（実開昭５６−９３１９２号公報）の技術が開示されている。
【０００４】
特許文献１の技術においては、バナナが収納されたカートンボックスを熟成室内に多数段積みし、冷却風を前記カートンボックスに向けて送り込む冷却風供給装置と温風を前記カートンボックスに向けて送り込む温風供給装置とを併設し、該冷却風供給装置からの冷却風と温風供給装置からの温風の供給量を調整して、前記カートンボックス内の温度を、常時バナナの熟成に適正な温度に保持するように構成されている。
【０００５】
また、特許文献２の技術においては、青果物を建物の内部空間に低温下で保冷するようにした保冷システムにおいて、前記内部空間に段積みされたパレット入りの青果物を収容する保冷室を設け、該保冷室の側部を上下に伸縮可能な側部可動隔壁で囲んで該側部可動隔壁を建物に上下動可能に支持するとともに、該保冷室の上部を覆う上部カバーを上下に伸縮可能な上部可動隔壁を介して建物に上下動可能に支持し、さらに前記保冷室の中央下部に前記青果物に冷却空気を供給する空気冷却器を固定して、前記側部可動隔壁を昇降装置で上方に引き上げて形成される開口部から、前記パレット入りの青果物を保冷室に出し入れ可能に構成している。
【０００６】
また、従来、生鮮食品や薬品、アイスクリームなど、生産・輸送・消費の過程で途切れることなく低温に保つ物流方式では、例えば、製造ラインや倉庫の保冷室あるいは保冷車の保冷庫内に、温度センサを備え付け、温度センサからの信号を有線で製造ラインや倉庫、運転席に設けられた装置に送信し、表示部に温度情報を表示することによりモニターを行なっていた。
【先行技術文献】
【特許文献】
【０００７】
【特許文献１】実用新案登録第２５０７６２３号公報
【特許文献２】実開昭５６−９３１９２号公報
【発明の概要】
【発明が解決しようとする課題】
【０００８】
しかしながら、上記のような従来のシステムでは、製造ラインや倉庫、運転席等に設置する特別な装置を必要とし、かつ、有線通信であるために、保冷室や保冷庫に取り付け加工を行なう必要があって、特に、既存の保冷室や保冷庫にこれらのシステムを導入する場合には、工事費を含む費用面や運用面において、使用者側の負担が大きかった。
【０００９】
また、温度管理の技術は進歩したが、保冷室や保冷庫に故障が生じた場合の対応については、あまり論じられておらず、その場での対応を求められることがほとんどであり、対応が後手にまわった場合には、保冷室や保冷庫内の商品の品質に重大な問題を生じる恐れもあった。
【００１０】
そこで、本発明は、上記課題に鑑みてなされたものであり、既存の携帯端末を用いて、簡便かつ低コストで、確実なモニターを可能とし、保冷室や保冷庫内の商品の品質保証を的確に実現する温度検知システムを提供することを目的とする。
【課題を解決するための手段】
【００１１】
本発明は、上記の課題を解決するために、以下の事項を提案している。なお、理解を容易にするために、本発明の実施形態に対応する符号を付して説明するが、これに限定されるものではない。
【００１２】
（１）本発明は、ユーザが携帯する携帯端末と、保冷車の保冷庫内あるいは保冷倉庫の保冷室内に載置される温度センサユニットとを備えた温度検知システムであって、前記携帯端末が、予めネットワークを通じてダウンロードしたアプリケーションと、情報を表示する表示部と、少なくとも、前記温度センサユニットとの間でデータあるいは信号の送受信を行なう携帯側無線通信部と、を備え、前記温度センサユニットが、温度センサ素子と、該温度センサ素子が所定時間間隔で検出した温度データを記憶する記憶部と、前記携帯端末との間でデータあるいは信号の送受信を行なう温度センサユニット側無線通信部と、モニター表示を行なう表示素子と、制御部と、前記温度センサ素子と前記記憶部と前記温度センサユニット側無線通信部と前記表示素子と前記制御部とに電力を供給する電源部と、を備えたことを特徴とする温度検知システムを提案している。
【００１３】
（２）本発明は、（１）の温度検知システムにおいて、前記携帯側無線通信部と温度センサユニット側無線通信部とは近距離無線通信により温度データおよび信号の送受信を行なうことを特徴とする温度検知システムを提案している。
【００１４】
（３）本発明は、（１）の温度検知システムにおいて、前記制御部は、リセットスタート後、所定時間の経過により、スリープモードに移行し、前記表示素子への電力の供給を遮断することを特徴とする温度検知システムを提案している。
【００１５】
（４）本発明は、（１）から（３）の温度検知システムにおいて、前記制御部は、前記温度センサユニット側無線通信部が前記携帯端末からのリクエスト信号を所定時間以上受信していない場合には、ストレージモードに移行し、温度データの測定および記録のみを行うよう制御することを特徴とする温度検知システムを提案している。
【００１６】
（５）本発明は、（４）の温度検知システムにおいて、前記制御部は、前記ストレージモードにおいて、測定間隔内のピークホールド値を記憶部に記憶させることを特徴とする温度検知システムを提案している。
【００１７】
（６）本発明は、（１）から（５）の温度検知システムにおいて、前記電源部は、蓄電池で構成され、前記温度センサユニットが、前記蓄電池の端子電圧を測定する端子電圧測定部を備え、前記制御部は、前記端子電圧測定部により測定された前記蓄電池の端子電圧が所定の閾値を下回った場合あるいは前記温度センサ素子により測定された温度情報が、所定の温度を下回った場合に、前記温度センサユニット側無線通信部の作動を停止することを特徴とする温度検知システムを提案している。
【００１８】
（７）本発明は、（１）の温度検知システムにおいて、前記温度センサユニットが、さらに、温度データの異常値を検出し、異常検出信号を前記制御部に送信する異常値検出部を備え、前記制御部は、前記温度センサユニット側無線通信部を介して、前記携帯端末に異常情報を送信することを特徴とする温度検知システムを提案している。
【００１９】
（８）本発明は、（１）の温度検知システムにおいて、前記ネットワークを介して接続された監視装置をさらに備えるとともに、前記携帯端末が、さらに、位置情報を取得する位置情報取得部を備え、前記監視装置が、前記携帯端末から前記保冷車の前記保冷庫あるいは前記保冷倉庫の前記保冷室と対応付けられた前記携帯端末のＩＤ情報と前記温度センサ素子が所定時間間隔で検出した温度データと前記位置情報取得部が取得した位置情報とを受信する受信部と、該受信した前記ＩＤ情報と前記所定時間間隔で検出した温度データと前記位置情報とを紐つけて格納するデータベースと、該データベースに格納された情報に基づいて表示情報を生成する表示情報生成部と、該生成された表示情報を表示するモニター部と、を備えたことを特徴とする温度検知システムを提案している。
【００２０】
（９）本発明は、（８）の温度検知システムにおいて、前記温度センサユニットが、さらに、温度データの異常値を検出し、異常検出信号を前記制御部に送信する異常値検出部を備え、前記制御部は、前記温度センサユニット側無線通信部および前記携帯側無線通信部を介して、前記監視装置の前記受信部に前記携帯端末のＩＤ情報と異常情報とを送信することを特徴とする温度検知システムを提案している。
【００２１】
（１０）本発明は、（９）の温度検知システムにおいて、前記監視装置が、さらに、各保冷車の保冷庫あるいは各保冷倉庫の保冷室に収容された収容物の現在の収容量を記憶する収容量情報記憶部と、前記受信部が受信した前記携帯端末のＩＤ情報と異常情報とに基づいて、温度異常状態にある保冷車の保冷庫あるいは保冷倉庫の保冷室を特定する特定部と、前記受信部が受信した前記携帯端末のＩＤ情報に基づいて、前記データベースから温度データを読み出し、前記収容物の品質を担保できる温度までの到達時間を検出する検出部と、該検出した到達時間と他の保冷車の保冷庫あるいは他の保冷倉庫の保冷室の位置情報と収容された前記収容物の現在の収容量とに基づいて、前記検出した到達時間内に前記温度異常状態にある保冷車の保冷庫あるいは保冷倉庫の保冷室の前記収容物を移動可能な前記他の保冷車の保冷庫あるいは他の保冷倉庫の保冷室に移動するよう前記特定部において特定された保冷車の保冷庫あるいは保冷倉庫の保冷室に紐づいた前記携帯端末に通知する通知部と、を備えたことを特徴とする温度検知システムを提案している。
【発明の効果】
【００２２】
本発明によれば、既存の携帯端末を用いて、簡便かつ低コストで、確実なモニターを可能とし、保冷室や保冷庫内の商品の品質保証を的確に実現できるという効果がある。
【図面の簡単な説明】
【００２３】
【図１】本発明の第１の実施形態に係る温度検知システムのシステム構成図である。
【図２】本発明の第１の実施形態に係る携帯端末の機能ブロック図である。
【図３】本発明の第１の実施形態に係る温度センサユニットの機能ブロック図である。
【図４】本発明の第１の実施形態に係る処理フローである。
【図５】本発明の第１の実施形態に係る処理フローである。
【図６】本発明の第１の実施形態に係る処理フローである。
【図７】本発明の第２の実施形態に係る温度検知システムのシステム構成図である。
【図８】本発明の第２の実施形態に係る携帯端末の機能ブロック図である。
【図９】本発明の第２の実施形態に係る監視装置の機能ブロック図である。
【図１０】本発明の第２の実施形態に係る温度検知システムの処理フローである。
【発明を実施するための形態】
【００２４】
以下、図面を用いて、本発明の実施形態について詳細に説明する。なお、本実施形態における構成要素は適宜、既存の構成要素等との置き換えが可能であり、また、他の既存の構成要素との組合せを含む様々なバリエーションが可能である。したがって、本実施形態の記載をもって、特許請求の範囲に記載された発明の内容を限定するものではない。
【００２５】
＜第１の実施形態＞
以下、図１から図６を用いて、本実施形態に係る温度検知システムについて説明する。
【００２６】
＜温度検知システムのシステム構成＞
本実施形態に係る温度検知システム１００は、図１に示すように、携帯端末１０と、温度センサユニット２０とから構成されている。
【００２７】
携帯端末１０は、ユーザ（担当者）が個人所有する、例えば、スマートフォン、タブレット等でもよいし、貸与された例えば、スマートフォン、タブレット等でもよい。携帯端末１０と温度センサユニット２０とは、無線でデータのやりとりを行なう。
【００２８】
温度センサユニット２０は、保冷車の保冷庫や保冷倉庫の保冷室内部に載置されており、載置の方法としては、温度センサユニット２０に糸等を挿通できる孔部を設け、この孔部に糸等を挿通してリング状にしたものを保冷車の保冷庫や保冷倉庫の保冷室の天井部や壁面に設けたフック等に引っ掛けて、固定してもよいし、非金属製ネットのようなものに温度センサユニット２０を収納し、このネットを保冷車の保冷庫や保冷倉庫の保冷室の天井部や壁面に設けたフック等に直接的あるいは間接的に引っ掛けて、固定してもよい。つまり、載置の方法は、無線の電波を遮断せず、落下や衝突等による衝撃を防止できる形態であれば、どのような形態であってもよい。
【００２９】
＜携帯端末の構成＞
本実施形態に係る携帯端末１０は、図２に示すように、アプリケーション１１と、表示部１２と、携帯側無線通信部１３とから構成されている。なお、通常の通信機能や通話機能等を有しているが、その詳細については、説明を省略する。
【００３０】
アプリケーション１１は、予めネットワークを通じてダウンロードした本実施形態専用のアプリケーションである。表示部１２は、温度センサユニット２０から取得する温度データをはじめとする各種情報を表示する表示器であり、液晶パネル等で構成されている。携帯側無線通信部１３は、温度センサユニット２０との間でデータあるいは信号の送受信を行なう近距離無線形式のものであり、例えば、ＢｌｕｅｔｏｏｔｈＬｏｗＥｎｅｒｇｙ等を挙げることができる。
【００３１】
＜温度センサユニットの構成＞
本実施形態に係る温度センサユニット２０は、図３に示すように、温度センサ素子２１と、記憶部２２と、温度センサユニット側無線通信部２３と、表示素子２４と、電源部２５と、異常値検出部２６と、端子電圧測定部２７と、制御部２８とから構成されている。
【００３２】
温度センサ素子２１は、温度を計測するための素子であり、接触式と非接触式に大別され、接触式はさらに電気式と機械式とに分類される。このうち、本実施形態で用いられる電気式には、測温抵抗体（ＲＴＤ）、サーミスタ、熱電対等である。例えば、測温抵抗体（ＲＴＤ）の一種である白金測温抵抗体は、安定性、直線性に優れ、高精度で広い温度範囲の測定が可能である。一方、サーミスタは、小型で感度が良く、低コストであるという利点を有する。したがって、使用されるシステムの仕様によって適宜選択する必要がある。
【００３３】
記憶部２２は、温度センサ素子が所定時間間隔で検出した温度データを一時的に記憶する記憶素子である。そのため、携帯端末１０との通信が確立されたタイミングで、記憶部２２に一時的に格納した温度データを携帯端末１０側に送信して、リフレッシュする。温度センサユニット側無線通信部２３は、携帯端末１０の携帯側無線通信部１３との間でデータあるいは信号の送受信を行なう近距離無線形式のものであり、例えば、ＢｌｕｅｔｏｏｔｈＬｏｗＥｎｅｒｇｙ等を挙げることができる。
【００３４】
表示素子２４は、例えば、ＬＥＤであり、動作状態を示すモニター表示を行なう。電源部２５は、温度センサ素子２１や記憶部２２、温度センサユニット側無線通信部２３、表示素子２４、制御部２８等に電力を供給するものであり、例えば、リチウムイオン電池等のバッテリーを例示することができる。
【００３５】
異常値検出部２６は、温度データの異常値を検出し、異常検出信号を制御部２８に送信する。端子電圧測定部２７は、電源部２５を構成する蓄電池（例えば、リチウムイオン電池）の正極端子および負極端子間の端子電圧を測定する。
【００３６】
制御部２８は、図示しないＲＯＭ等に格納された制御プログラムにしたがって、温度センサユニット２０全体の動作を制御する。本実施形態においては、リセットスタート後、所定時間の経過により、スリープモードに移行し、表示素子２４への電力の供給を遮断する処理や温度センサユニット側無線通信部２３が携帯端末１０からのリクエスト信号を所定時間以上受信していない場合には、ストレージモードに移行し、温度データの測定および記録のみを行うよう制御する処理、ストレージモードにおいて、測定間隔内のピークホールド値を記憶部２２に記憶させる処理、測定された蓄電池（例えば、リチウムイオン電池）の端子電圧が所定の閾値を下回った場合あるいは温度センサ素子２１により測定された温度データが、所定の温度を下回った場合に、温度センサユニット側無線通信部２３の作動を停止する処理、異常検出信号を異常値検出部２６から受信した場合に、温度センサユニット側無線通信部２３を介して、携帯端末１０に異常情報を送信する処理等を行なう。
【００３７】
＜温度センサユニットの処理＞
図４から図６を用いて、本実施形態に係る温度センサユニットの処理について説明する。
【００３８】
＜スリープモードの処理＞
図４に示すように、制御部２８は、リセットスタート後に所定時間が経過したか否かを検出する（ステップＳ１０１）。そして、所定時間が経過していないことを判断した場合（ステップＳ１０１の「Ｎｏ」）には、所定時間が経過するまで待機する。
【００３９】
一方で、所定時間が経過したことを検出した場合（ステップＳ１０１の「Ｙｅｓ」）には、スリープモードに移行する（ステップＳ１０２）。そして、表示素子２４への電力の供給を遮断する。なお、このとき、温度データのモニターは継続して実行し、リセットボタンの押下により、表示素子２４への電力供給を再開する。
【００４０】
＜ストレージモードの処理＞
図５に示すように、制御部２８は、携帯端末１０からのリクエスト信号を所定時間以上受信していないかを検出する（ステップＳ１１１）。そして、携帯端末１０からのリクエスト信号を受信してから、所定時間が経過していないことを検出した場合（ステップＳ１１１の「Ｎｏ」）には、所定時間が経過するまで待機する。
【００４１】
一方で、携帯端末１０からのリクエスト信号を受信してから、所定時間が経過していることを検出した場合（ステップＳ１１１の「Ｙｅｓ」）には、ストレージモードに移行する（ステップＳ１１２）。
【００４２】
そして、ストレージモードに移行すると、温度データの測定および記録のみを実行する（ステップＳ１１３）。また、ストレージモードでは、温度データの記録に関して、測定間隔内のピークホールド値を記憶部２２に記憶させる。なお、上記では、携帯端末１０からのリクエスト信号をトリガとしたが、Bluetoothのペアリングが行なわれたことをトリガとしてもよいし、ホスト側（携帯端末１０側）から特別なコマンドを送出してもよい。また、温度センサユニットの記憶素子に一時的に格納されたデータは、携帯端末１０からのリクエスト信号により、携帯端末１０に吐き出される。
【００４３】
＜蓄電池の端子電圧低下、温度低下時の処理＞
図６に示すように、制御部２８は、蓄電池（電源部２５）の端子電圧が閾値よりも低いか否かを検出する（ステップＳ１２１）。そして、蓄電池（電源部２５）の端子電圧が閾値よりも低いことを検出した場合（ステップＳ１２１の「Ｙｅｓ」）には、温度センサユニット側無線通信部２３の作動を停止する（ステップＳ１２３）。
【００４４】
一方で、蓄電池（電源部２５）の端子電圧が閾値よりも高いことを検出した場合（ステップＳ１２１の「Ｎｏ」）には、次いで、温度データが所定の温度よりも低いか否かを検出する（ステップＳ１２２）。そして、温度データが所定の温度よりも高い場合（ステップＳ１２２の「Ｎｏ」）には、ステップ１２１に戻って待機する。
【００４５】
一方で、温度データが所定の温度よりも低い場合（ステップＳ１２２の「Ｙｅｓ」）には、温度センサユニット側無線通信部２３の作動を停止する（ステップＳ１２３）。
【００４６】
＜本実施形態の作用、効果＞
以上、説明したように、本実施形態に係る温度検知システムを構成する携帯端末１０および温度センサユニット２０は、例えば、ＢｌｕｅｔｏｏｔｈＬｏｗＥｎｅｒｇｙ等の近距離無線でデータや信号のやりとりを行なっている。温度センサユニット２０は、保冷車の保冷庫や保冷倉庫の保冷室内部に載置されており、保冷車の保冷庫や保冷倉庫の保冷室は金属の板材等を組み合わせた密閉空間となっているため、開閉ドアが閉状態で、携帯端末１０を所持するユーザ（担当者）が庫外あるいは室外にいる場合には、通信が確立できず、データや信号の交換はできない。しかしながら、保冷車の場合には、目的地に到着するたびに収容物を取り出すためあるいは、ユーザ（担当者）が収容物の仕分け作業等のために、開閉ドアが開状態となる。また、保冷倉庫の保冷室においても、同様のことが起こる。こうした状況は、日によって頻度のバラツキはあるものの、１日に数回以上は発生する。すなわち、本実施形態の温度検知システムでは、携帯端末１０と温度センサユニット２０とが常時通信を行なって、データや信号のやりとりを行うわけではないが、保冷庫や保冷室の故障が稀な確率でしか発生しないことを考えれば、簡便かつ低コストで十分なモニタリングシステムを実現できる。
【００４７】
また、本実施形態の温度センサユニット２０は、蓄電池で駆動する形態であることから、商用電源や車のバッテリーを電力源とするシステムに比べて、消費電力を極力抑えながら、必要かつ十分なモニタリングを実行する必要があるが、上記のように、制御部２８は、例えば、リセットスタート後、所定時間の経過により、スリープモードに移行し、表示素子２４への電力の供給を遮断する処理や温度センサユニット側無線通信部２３が携帯端末１０からのリクエスト信号を所定時間以上受信していない場合には、ストレージモードに移行し、温度データの測定および記録のみを行うよう制御する処理を行なう機能を有していることから、消費電力を極力抑えながら、必要かつ十分なモニタリングを実行することができる。
【００４８】
さらに、本実施形態の温度センサユニット２０は、電子部品である温度センサ素子２１を用いて温度データの取得を行なっているが、電子部品には、素子が正常に動作する動作許容温度範囲があり、これを逸脱すると、取得したデータの品質を大幅に損なう危険性がある。これは、電源部２５を構成する蓄電池についてもいえることであるが、本実施形態では、測定された蓄電池（例えば、リチウムイオン電池）の端子電圧が所定の閾値を下回った場合あるいは温度センサ素子２１により測定された温度データが、所定の温度を下回った場合に、温度センサユニット側無線通信部２３の作動を停止する処理を行なう機能を有していることから、不確定なデータにより、誤った判断が生じることを防止することができる。また、上記のような異常状態を検出する機能を備え、異常状態を検出した場合には、ユーザ（担当者）が所持する携帯端末１０に異常信号を送信することから、異常状態を的確にユーザ（担当者）に知らせることができる。
【００４９】
＜第２の実施形態＞
以下、図７から図１０を用いて、本実施形態に係る温度検知システム２００について説明する。
【００５０】
＜温度検知システムのシステム構成＞
本実施形態に係る温度検知システム１１０は、図７に示すように、携帯端末３０と、温度センサユニット２０と、監視装置５０とから構成されている。また、携帯端末３０と監視装置５０とは、ネットワークを介して接続されている。なお、温度センサユニット２０については、第１の実施形態で示したものと構成、機能が同様であるため、その詳細な説明は省略する。
【００５１】
本実施形態に係る温度検知システム１１０は、監視装置５０をさらに設けることにより、管理管轄する保冷車の保冷庫や保冷倉庫の保冷室の状況を監視し、いずれかの保冷庫あるいは保冷室で異常状態が発生した場合に、他の保冷庫あるいは保冷室と連携を図って、収容物の品質を維持する動作を実行する。
【００５２】
＜携帯端末の構成＞
本実施形態に係る携帯端末３０は、図８に示すように、アプリケーション１１と、表示部１２と、携帯側無線通信部１３と、位置情報取得部３１とから構成されている。なお、第１の実施形態と同一の符号を付す構成要素については、同様の機能を有することから、その詳細な説明は省略する。
【００５３】
位置情報取得部３１は、携帯端末３０の位置情報を取得する。具体的には、例えば、ＧＰＳ機能を備え、衛星との間で、自身の位置情報（緯度、経度情報）を取得する。
＜監視装置の構成＞
本実施形態に係る監視装置５０は、図９に示すように、受信部５１と、データベース５２と、表示情報生成部５３と、モニター部５４と、収容量情報記憶部５５と、特定部５６と、検出部５７と、通知部５８とから構成されている。
【００５４】
受信部５１は、携帯端末３０からネットワークを介して、保冷車の保冷庫あるいは保冷倉庫の保冷室と対応付けられた携帯端末３０のＩＤ情報と温度センサ素子２１が所定時間間隔で検出した温度データと位置情報取得部が取得した位置情報とを受信する。また、前述した温度センサユニット２０の異常値検出部２６が異常状態を検知した場合には、携帯端末３０から携帯端末３０のＩＤ情報と異常情報とを受信する。
【００５５】
データベース５２は、受信したＩＤ情報と所定時間間隔で検出した温度データと位置情報とを紐つけて格納する。表示情報生成部５３は、データベース５２に格納された情報に基づいて表示情報を生成する。具体的には、ある時間内における温度データの推移を示すグラフに当該データを示す保冷車の管理番号、担当者の情報あるいは保冷倉庫の管理番号、名称、担当者の情報を示す表示データを作成する。また、受信部５１が異常情報を受信した場合には、保冷車の管理番号、担当者の情報あるいは保冷倉庫の管理番号、名称、担当者の情報と合わせて、異常情報を表示する表示データを作成する。モニター部５４は、表示情報生成部５３において、生成された表示情報を、例えば、液晶パネルで構成された表示装置に表示する。
【００５６】
収容量情報記憶部５５は、各保冷車の保冷庫あるいは各保冷倉庫の保冷室に収容された収容物の現在の収容量を記憶する。これにより、監視装置５０は、各保冷車の保冷庫あるいは各保冷倉庫の保冷室の最大収容容量と現在の収容量とから、追加収容可能な収容量を得ることができる。
【００５７】
特定部５６は、受信部が受信した携帯端末３０のＩＤ情報と異常情報とに基づいて、温度異常状態にある保冷車の保冷庫あるいは保冷倉庫の保冷室を特定する。
【００５８】
検出部５７は、受信部が受信した携帯端末３０のＩＤ情報に基づいて、データベースから温度データを読み出し、収容物の品質を担保できる温度までの到達時間を検出する。具体的には、例えば、現在から数時間遡った温度データ群をプロットした図表から、直線近似あるいは微分処理等により、温度データが上昇する傾きを求め、収容物の品質を担保できる保証温度までの到達時間を求める。
【００５９】
通知部５８は、検出部５７が検出した到達時間と他の保冷車の保冷庫あるいは他の保冷倉庫の保冷室の位置情報と収容された収容物の現在の収容量とに基づいて、検出した到達時間内に温度異常状態にある保冷車の保冷庫あるいは保冷倉庫の保冷室の収容物を移動可能な他の保冷車の保冷庫あるいは他の保冷倉庫の保冷室に移動するよう特定部５６において特定された保冷車の保冷庫あるいは保冷倉庫の保冷室に紐づいた携帯端末３０に通知する。
【００６０】
＜温度検知システムにおける異常状態時の処理＞
本実施形態に係る温度検知システム１１０の処理について、図１０を用いて、説明する。
【００６１】
まず、受信部５１が携帯端末３０のＩＤ情報と異常情報とを受信する（ステップＳ２０１）。次いで、特定部５６が受信部５１において受信した携帯端末３０のＩＤ情報と異常情報とに基づいて、温度異常状態にある保冷車の保冷庫あるいは保冷倉庫の保冷室を特定する（ステップＳ２０２）。
【００６２】
さらに、検出部５７が受信部５１において受信した携帯端末３０のＩＤ情報に基づいて、データベース５２から温度データを読み出し、収容物の品質を担保できる温度までの到達時間を検出し（ステップＳ２０３）、通知部５８が、検出部５７が検出した到達時間と他の保冷車の保冷庫あるいは他の保冷倉庫の保冷室の位置情報と収容された収容物の現在の収容量とに基づいて、検出した到達時間内に温度異常状態にある保冷車の保冷庫あるいは保冷倉庫の保冷室の収容物を移動可能な他の保冷車の保冷庫あるいは他の保冷倉庫の保冷室に移動するよう特定部５６において特定された保冷車の保冷庫あるいは保冷倉庫の保冷室に紐づいた携帯端末３０に通知する（ステップＳ２０４）。
【００６３】
＜本実施形態の作用、効果＞
以上、説明したように、本実施形態に係る温度検知システムにおいては、携帯端末３０からネットワークを介して、保冷車の保冷庫あるいは保冷倉庫の保冷室と対応付けられた携帯端末３０のＩＤ情報と温度センサ素子２１が所定時間間隔で検出した温度データと位置情報取得部が取得した位置情報とを受信し、受信したＩＤ情報と所定時間間隔で検出した温度データと位置情報とを紐つけてデータベース５２格納し、格納された情報に基づいて、例えば、ある時間内における温度データの推移を示すグラフに当該データを示す保冷車の管理番号、担当者の情報あるいは保冷倉庫の管理番号、名称、担当者の情報を示す表示データを作成して、モニターに常時表示することから、管理管轄するすべての保冷車の保冷庫あるいは保冷倉庫の保冷室の状況を常に監視することができる。また、保冷車の保冷庫あるいは保冷倉庫の保冷室の開閉ドアの開閉をセンシングするセンサを設け、このセンサからの開閉ドアの開信号をトリガに温度データの受信があったか否かをモニターすれば、携帯端末３０と温度センサユニット２０との通信が良好になされているのかを確認することもできる。
【００６４】
また、受信部５１が異常情報を受信すると、保冷車の管理番号、担当者の情報あるいは保冷倉庫の管理番号、名称、担当者の情報と合わせて、異常情報を表示する表示データを作成し、これらの情報をモニター部５４に表示するとともに、検出部５７が受信部５１において受信した携帯端末３０のＩＤ情報に基づいて、データベース５２から温度データを読み出し、収容物の品質を担保できる温度までの到達時間を検出し、通知部５８が、検出部５７が検出した到達時間と他の保冷車の保冷庫あるいは他の保冷倉庫の保冷室の位置情報と収容された収容物の現在の収容量とに基づいて、検出した到達時間内に温度異常状態にある保冷車の保冷庫あるいは保冷倉庫の保冷室の収容物を移動可能な他の保冷車の保冷庫あるいは他の保冷倉庫の保冷室に移動するよう特定部５６において特定された保冷車の保冷庫あるいは保冷倉庫の保冷室に紐づいた携帯端末３０に通知することから、万が一、保冷車の保冷庫あるいは保冷倉庫の保冷室の温度管理に異常が生じた場合であっても、収容物の品質を損なうことなく、迅速に対応することができる。また、ＶＩＣＳを活用できるようなシステムであれば、渋滞情報等を活用して、最短時間で、異常のある保冷車あるいは保冷倉庫までの最短ルートを検索し、当該保冷車あるいは保冷倉庫に向かう担当者に情報を提供することもできる。
【００６５】
以上、この発明の実施形態につき、図面を参照して詳述してきたが、具体的な構成はこの実施形態に限られるものではなく、この発明の要旨を逸脱しない範囲の設計等も含まれる。例えば、上記では言及しなかったが、表示素子の自己発熱による温度情報を抑えるために、表示素子が搭載された基板の対応箇所にあたる温度センサユニットの筐体部に、気体のみを通すフィルムを貼り付けた切り欠き部を設けてもよい。
【符号の説明】
【００６６】
１０；携帯端末
１１；アプリケーション
１２；表示部
１３；携帯側無線通信部
２０；温度センサユニット
２１；温度センサ素子
２２；記憶部
２３；温度センサユニット側無線通信部
２４；表示素子
２５；電源部
２６；異常値検出部
２７；端子電圧測定部
２８；制御部
３０；携帯端末
３１；位置情報取得部
５０；監視装置
５１；受信部
５２；データベース
５３；表示情報生成部
５４；モニター部
５５；収容量情報記憶部
５６；特定部
５７；検出部
５８；通知部
１００；温度検知システム
１１０；温度検知システム
【図１】
2018054508.tif 000003
【図２】
2018054508.tif 000004
【図３】
2018054508.tif 000005
【図４】
2018054508.tif 000006
【図５】
2018054508.tif 000007
【図６】
2018054508.tif 000008
【図７】
2018054508.tif 000009
【図８】
2018054508.tif 000010
【図９】
2018054508.tif 000011
【図１０】
2018054508.tif 000012
【手続補正書】
【提出日】平成29年8月29日(2017.8.29)
【手続補正１】
【補正対象書類名】特許請求の範囲
【補正対象項目名】全文
【補正方法】変更
【補正の内容】
【特許請求の範囲】
【請求項１】
ユーザが携帯する携帯端末と、保冷車の保冷庫内あるいは保冷倉庫の保冷室内に載置される温度センサユニットとを備えた温度検知システムであって、
前記携帯端末が、
予めネットワークを通じてダウンロードしたアプリケーションと、
情報を表示する表示部と、
少なくとも、前記温度センサユニットとの間でデータあるいは信号の送受信を行なう携帯側無線通信部と、
を備え、
前記温度センサユニットが、
温度センサ素子と、
該温度センサ素子が所定時間間隔で検出した温度データを記憶する記憶部と、
前記携帯端末との間でデータあるいは信号の送受信を行なう温度センサユニット側無線通信部と、
モニター表示を行なう表示素子と、
制御部と、
前記温度センサ素子と前記記憶部と前記温度センサユニット側無線通信部と前記表示素子と前記制御部とに電力を供給する電源部と、
を備え、
前記制御部は、前記温度センサユニット側無線通信部が前記携帯端末からのリクエスト信号を所定時間以上受信していない場合には、ストレージモードに移行し、温度データの測定および記録のみを行うよう制御することを特徴とする温度検知システム。
【請求項２】
前記携帯側無線通信部と温度センサユニット側無線通信部とは近距離無線通信により温度データおよび信号の送受信を行なうことを特徴とする請求項１に記載の温度検知システム。
【請求項３】
前記制御部は、リセットスタート後、所定時間の経過により、スリープモードに移行し、前記表示素子への電力の供給を遮断することを特徴とする請求項１に記載の温度検知システム。
【請求項４】
前記制御部は、前記ストレージモードにおいて、測定間隔内のピークホールド値を記憶部に記憶させることを特徴とする請求項１に記載の温度検知システム。
【請求項５】
前記電源部は、蓄電池で構成され、
前記温度センサユニットが、前記蓄電池の端子電圧を測定する端子電圧測定部を備え、
前記制御部は、前記端子電圧測定部により測定された前記蓄電池の端子電圧が所定の閾値を下回った場合あるいは前記温度センサ素子により測定された温度情報が、所定の温度を下回った場合に、前記温度センサユニット側無線通信部の作動を停止することを特徴とする請求項１から請求項４のいずれかに記載の温度検知システム。
【請求項６】
前記温度センサユニットが、さらに、
温度データの異常値を検出し、異常検出信号を前記制御部に送信する異常値検出部を備え、
前記制御部は、前記温度センサユニット側無線通信部を介して、前記携帯端末に異常情報を送信することを特徴とする請求項１に記載の温度検知システム。
【請求項７】
前記ネットワークを介して接続された監視装置をさらに備えるとともに、
前記携帯端末が、さらに、位置情報を取得する位置情報取得部を備え、
前記監視装置が、
前記携帯端末から前記保冷車の前記保冷庫あるいは前記保冷倉庫の前記保冷室と対応付けられた前記携帯端末のＩＤ情報と前記温度センサ素子が所定時間間隔で検出した温度データと前記位置情報取得部が取得した位置情報とを受信する受信部と、
該受信した前記ＩＤ情報と前記所定時間間隔で検出した温度データと前記位置情報とを紐つけて格納するデータベースと、
該データベースに格納された情報に基づいて表示情報を生成する表示情報生成部と、
該生成された表示情報を表示するモニター部と、
を備えたことを特徴とする請求項１に記載の温度検知システム。
【請求項８】
前記温度センサユニットが、さらに、
温度データの異常値を検出し、異常検出信号を前記制御部に送信する異常値検出部を備え、
前記制御部は、前記温度センサユニット側無線通信部および前記携帯側無線通信部を介して、前記監視装置の前記受信部に前記携帯端末のＩＤ情報と異常情報とを送信することを特徴とする請求項７に記載の温度検知システム。
【請求項９】
前記監視装置が、さらに、
各保冷車の保冷庫あるいは各保冷倉庫の保冷室に収容された収容物の現在の収容量を記憶する収容量情報記憶部と、
前記受信部が受信した前記携帯端末のＩＤ情報と異常情報とに基づいて、温度異常状態にある保冷車の保冷庫あるいは保冷倉庫の保冷室を特定する特定部と、
前記受信部が受信した前記携帯端末のＩＤ情報に基づいて、前記データベースから温度データを読み出し、前記収容物の品質を担保できる温度までの到達時間を検出する検出部と、
該検出した到達時間と他の保冷車の保冷庫あるいは他の保冷倉庫の保冷室の位置情報と収容された前記収容物の現在の収容量とに基づいて、前記検出した到達時間内に前記温度異常状態にある保冷車の保冷庫あるいは保冷倉庫の保冷室の前記収容物を移動可能な前記他の保冷車の保冷庫あるいは他の保冷倉庫の保冷室に移動するよう前記特定部において特定された保冷車の保冷庫あるいは保冷倉庫の保冷室に紐づいた前記携帯端末に通知する通知部と、
を備えたことを特徴とする請求項８に記載の温度検知システム。